(57)【要約】      （修正有）【課題】従来のパネルでは、複数枚で開口部を閉鎖するとき、パネルの端面から突出させたロッドを圧接して接天接床部材を上下動させて固定し、順次パネルを閉鎖する。しかし、ロッドはパネルの外から突出量の調整ができなく、パネルを吊下げ部から外し分解していた。本考案では、パネルの外部から簡単に調整ができる調整機構を提供する。【解決手段】接天接床部材８・９は、上下に分割されて、ロッド３の圧接力で移動するレール部材４を備え、レール部材４に設けられた案内レールに誘導されて天井部Ｔと床面Ｒに当接して閉鎖状態にし、パネル１開放状態に動作するとき、接天接床部材８・９とパネル１が相対移動してロッド３をパネル１端部から突出させ解放状態にして、ロッド３をレール部材４に螺合させて回動することで突出量を調整可能にし、外周面を多角形の緩衝材のロッド規制部材６を備え、多角面の係合で回動を規制する機構。【選択図】図２
0003133557.tif 000002
【実用新案登録請求の範囲】
【請求項１】
開口部を複数枚のパネルで吊下げ、パネル端部から突出したロッドで圧接して、パネルの上下端から延出する接天接床部材によりパネルを制動又は遮蔽作用する閉鎖装置において、
接天接床部材は、上下に分割されて、ロッドの圧接力で移動するレール部材を備え、
レール部材に設けられた案内溝に誘導されて天井部と床面に当接して閉鎖状態にし、
パネルを閉鎖状態から開放状態に動作するとき、接天接床部材とパネルが相対移動してロッドをパネル端部から突出させ解放状態にする構成であり、
ロッドは、レール部材に螺合されて回動することで突出量を調整可能にし、外周面に摺動可能な係合部を備え、その係合部に付勢力を付加して回動を規制することを特徴とするパネルのロッド調整構造。
【請求項２】
ロッドの規制は、ロッドの外周面を緩衝材で付勢することを特徴とする請求項１記載のパネルのロッド調整構造。
【請求項３】
緩衝材は、多角形の透孔にして、前記透孔を通過させてロッド外周面も同多角形に形成することを特徴とする請求項２記載のパネルのロッド調整構造。
【考案の詳細な説明】
【技術分野】
【０００１】  本考案は、開口部を天井から吊下げたパネルで開閉可能にして、パネルを閉鎖するとき、隣接するパネルに端面からロッドを突出させて、ロッドの伸縮作用により接天接床部材を上下動するパネルであり、ロッドの長さ調整をパネルの外部から容易に可能にするロッドの構造に関するものである。
【背景技術】
【０００２】  従来のパネルでは、パネル端面に突出させたロッドがあり、隣接するパネルの端面とロッドが圧接して、ロッドがパネル内に挿入されリンク機構により、パネルを固定する接天接床部材を上下動により延出させ、順次隣接する複数枚のパネルを閉鎖して壁面を形成し、部屋を分割するパネルの構造である。
【特許文献１】特願２００５−３８０３９９  公報
【考案の開示】
【考案が解決しようとする課題】
【０００３】  特許文献１のパネルのロッドは、レール部材にナットで固定され、工場での組付け時では、接天接床部材が設計上の正確な上下動を作動するように調整して出荷している。しかし、現場では、天井部から吊下げたパネルは、天井部と床面との高さが設計図面と誤差が生じることが多く、ロッドの長さを再調整する必要がある。
また、接天接床部材は、使用することにより磨耗し、季節の温度差等によりロッドの長さとレール部材の撓みと歪が発生して、接天接床部材の上下動が正確に当接できなくなったり、開口部を閉鎖できなくなったりして、状況により時々ロッドの長さを調節する必要が出てくる。【０００４】  ロッドの調整は、パネルの内部で固定されているため、パネルの外装を外して内部のナットを緩め、予想する長さに調整して、何度も作動させて適切な長さを得ることで、再び外装を取付けることになる。外装を外すには、パネルを吊下げ部から一端床面に下ろして作業をすることになる。現場での作業は、昇降機等のリフトが無く、パネルを取り外す作業に多くの人手を要することになり、費用と時間が掛かる問題があった。【０００５】  本考案では、ロッドの長さ調整を、吊下げた状態のパネルであって、外側から容易に調整できるように、ロッドを摺動可能にして回動には付勢力で規制させ、調整するときに付勢力よりも大きい回動力であり、回動力が手動で回動できるようにすることで、調整ができ、適した位置に接天接床部材が突出して固定することができるロッドの調整機構を提供する。
【課題を解決するための手段】
【０００６】  請求項１の考案では、開口部を複数枚のパネルで吊下げて、パネル端部に突出させたロッドが圧接されて、パネルの上下端から延出する接天接床部材によりパネルを制動させたり、遮音作用をさせたりする閉鎖装置である。接天接床部材は、上下に分割されて、ロッドの圧接力で移動するレール部材を備え、レール部材には案内溝が設けてあり、案内溝に誘導されるアームが回動し接天接床部材を延出させ、天井部と床面に当接して閉鎖状態の壁面を形成する。【０００７】  パネルを閉鎖状態から開放状態に動作するときは、接天接床部材とパネルが相対移動してロッドを突出させ解放状態にする構成である。ロッドは、摺動可能にして、レール部材に螺合され、ロッドを回転させて螺進することで突出量を調整可能にし、ロッドの外周面に係合部を備え、その係合部に付勢力を付加して回動を規制する構成とする。【０００８】  請求項２の考案では、ロッドの規制は、ロッドの外周面を緩衝材で付勢して、通常の使用の開閉動作では回転できなくし、工具で回転できる構成とする。
請求項３の考案では、請求項２の緩衝材は、多角形の透孔にして、前記透孔を通過するロッド外周面も同多角形に形成する構成とする。【０００９】  請求項１の構成では、ロッドを摺動可能にして、回転方向には固定状態にして、パネルの外部から突出量の調整をすることができ、パネルの振動で突出量が変わることがない作用がある。
請求項２の構成では、ロッドを回転させることで調整することができ、通常の使用ではロッドが回転しないように付勢力が掛かり、調整するときには付勢力以上で手動による回動力を掛けると回動できる作用がある。
請求項３の構成では、パネル端面を多角形の緩衝材にした透孔であり、透孔を通過する同多角形の外形のロッドが出入するときには抵抗が無く、回転には付勢力が働く作用がある。
【考案の効果】
【００１０】  請求項１の考案では、パネルの外部からロッドの突出量の調整が容易にできるので、常時適確に接天接床部材の延出動作がスムーズにできる効果がある。
請求項２の考案では、ロッドの摺動は容易にでき、回動を規制して、通常の開閉動作による振動等ではロッドの長さが変わらないように回り止めをすることが容易にできる効果がある。
請求項３の考案では、ロッドの出入りが抵抗無くでき、回動には抵抗が掛かり、組付け時の状態を維持して、パネルの外部からスパナ等の工具で回転可能にできる螺合であるため、伸縮調整ができる効果がある。
【考案を実施するための最良の形態】
【００１１】  本考案のパネル１の上面から上下動する接天部材８と、下面から上下動する接床部材９とを動作させるロッド３の調整機構について説明する。
図１に示す開口部Ｓには、３枚のパネル１ａ・１ｂ・１ｃが天井部Ｔと床面Ｒとに若干の間隙を備えて、天井部Ｔに内設された吊下げレール１０を転動する２つのランナ２から吊下げて、人が牽引して移動させることができる。
ランナ２は、車輪を備え、天井部Ｔに埋め込まれた吊下げレール１０内を転動して、吊下げ軸によりパネル１を吊下げて、前進後退を人が押して移動するものである。パネル１の端面には、ロッド３が上部・下部位置から突出している。【００１２】  ロッド３は、外部に出る所で意匠的に見栄えがあり光沢がある金属製の棒材であり、隣接するパネル１に当接させることで、内部へ挿入されるとパネル１の上端及び下端から接天接床部材８・９が天井部Ｔへ上昇し、床面Ｒへ下降して吊下げレール１０に圧接することで、この位置にパネル１を固定する。
図１では、開口部Ｓに複数枚のパネル１ａ・１ｂ・１ｃ（後のパネル１ｄからは図示略）が吊下げてあり、壁面１８から順次閉鎖する。壁面１８に当接するパネル１ａは、壁面１８まで人が牽引して移動する。【００１３】  パネル１ａは、ロッド３を図１の右方向に突出して、パネル１ｂの接触を待つことになり、吊下げられた状態でいる。パネル１ｂは、人手により移動してパネル１ａに圧接させる。パネル１ａとパネル１ｂのロッド３は、相互の端面に密着して壁面１８に圧接すると、２枚のパネル１ａ・１ｂのロッド３も内部に挿入されて接天接床部材８・９を延出させて両パネル１ａ・１ｂを密着状態で固定させる。【００１４】  接天接床部材８・９は、ゴム製の角材でパネル１の天井部Ｔと床面Ｒの隙間（１０ｍｍぐらい）を全部埋めることができる遮音形のものと、部分的に埋めて制動するブレーキ形とがあり、パネル１の上面と下面から延出するゴム材と吊下げレール１０が当接して、パネル１の移動を停止させる。次のパネル１ｃも、移動させてパネル１ｂの端面に圧接させることで、ロッド３がパネル内部に挿入されて、接天接床部材８・９を押出すことができ、天井部Ｔと床面Ｒに当接させて、順次閉鎖させることができる。開口部Ｓは、複数枚のパネル１を固定させて、部屋を分割して閉鎖することができる。【００１５】  開口部Ｓを開口するときは、閉鎖している複数枚のパネル１を、別途に設置した収納室（図示略）に移動させて、空き区画に重ねて収める必要がある。最終閉鎖のパネル１は、パネル１ｃと仮定すると、パネル１ｃを密着状態のパネル１ｂから手動で引き離すことで、天井部Ｔに当接状態で固定された接天部材８が、パネル１ｃと相対移動して、パネル１ｃ内部に収納される。同時に、床面Ｒと当接していた接床部材９もパネル１ｃ内に収納して、ロッド３を端面から外部に突出させて制動力を解除し、移動を容易にさせることができる。同様に閉鎖しているパネル１ｂ・１ａも随時制動を解除して、移動させて開口部Ｓを全開する。【００１６】  図２は、パネル１内の接天接床部材８・９がロッド３の押圧力で回動する機構を説明するものである。パネル１は、開口部Ｓに合わせて製作されるもので、縦・横寸法が場所により違いがあり、幅だけが規定され、アルミ材によるフレーム１７により強固に形成される。フレーム１７は、両表面を矩形状の板材の化粧板が嵌め込み可能にして、間仕切りする壁面を形成する形状にしている。ロッド３は、レール部材４に螺合され一体化して、パネル１端面から突出された状態にしている。【００１７】  レール部材４は、横方向のフレーム１７に摺動可能にする長孔２０を備え、長孔２０内をフレーム１７に固定された軸１９が介在して、アーム７を回動の案内をする案内レール５を備えている。軸１９には、アーム７が回動自在に軸着され、軸１９を動力点にして回動する。アーム７は、先端に接天接床部材８・９を軸着して２箇所の作用点を持ち、平行四辺形の４点支持にすることで、水平に天井部Ｔに接天部材８を、床面Ｒに接床部材を当接させるように回動することができる。【００１８】  図３は、レール部材４がロッド３に押圧されて摺動して、アーム７が鉛直方向に回動して、接天接床部材８・９を延出させ、天井部Ｔと床面Ｒに当接状態を示し、パネル１を固定させる。パネル１の固定は、接天接床部材８・９の大きさで部分的のものでは固定する作用があり、全体的なものでは遮音の作用もある。引張りばね２２は、レール部材４と接天接床部材８・９とを結び、引張り方向に力を付加して、復帰しやすくしている。アーム７は、図４に示すように、アーム７の先端部には、ピン２１が接天接床部材８・９に固定されて、レール部材４に備えられた案内レール５を摺動して、回動を正確にスムーズに誘導する。案内レール５は、接天接床部材８・９を天井部Ｔと床面Ｒに圧接する溝形状であり、ピン２１が溝を摺動しながら、作用点である接天接床部材８・９を回動させて案内する。【００１９】  接天接床部材８・９は、天井部Ｔと床面Ｒに圧接してパネル１を図３のように固定する。固定されたパネル１のアーム７は、略鉛直に立設した状態になり、その状態を保持する引張りばね２２が付勢力で固定作用するものであり、表面からの振動、連打等でも固定状態を維持することができる。【００２０】  開口部Ｓを閉鎖状態から開口状態に移動させるときには、パネル１を開口方向に引くことで、接天接床部材８・９と天井部Ｔ・床面Ｒの当接状態で固定され動くことができず、パネル１のみ移動する。パネル１が移動すると、接天部材８と天井部Ｔ、接床部材９と床面Ｒが支点になり、アーム７が回動して、レール部材４をパネル１内に移動すると共に接天接床部材８・９を天井部Ｔと床面Ｒから離間させる。パネル１は、接天接床部材を収納することで、制動状態から解放状態にして、ランナ２で吊下げてパネル１になり、手の力で引張り移動させることができ、収納させることで開口部Ｓを全開することができる。【００２１】  図４は、パネル１の端面からロッド３が規定長さに突出させて、隣接するパネル１に当接させることで、ロード３が押圧されて接天接床部材８・９が天井部Ｔと床面Ｒに圧接するようにパネル１内から延出する。ロッド３は、レール部材４に固定されたネジ部１６の螺合により、アーム７の回動角度が異なり、天井部Ｔと床面Ｒの間隙を埋める接天接床部材８・９の延出量も異なることで、密閉・制動力に影響することになる。天井部Ｔと床面Ｒの間隙は、設置場所により同じでないので、現地で設置してから調整することが一番確実である。ロッド３とネジ部１６は、ロッド３を回転させることでパネル１からの突出寸法を変えることができる。【００２２】  パネル１の閉鎖は、パネル１を隣接パネル１に押し付けることで、隣接パネル１の端面にロッド３が当接して、ロッド３に連結されたレール部材４とフレーム１７が相対移動して、長孔２０に沿ってフレーム１７に固定された軸１９が移動して、フレーム１７が相対移動によりフレーム１７に軸着されたアーム７がピン２１を支点にして案内レール５に沿って回動し、接天接床部材８・９を天井部Ｔと床面Ｒに圧接して密閉と制動の作用をして順次閉鎖して開口部Ｓを閉鎖する。【００２３】  開口動作は、閉鎖したパネル１を収納する方向に引張ることで、接天接床部材８・９が天井部Ｔと床面Ｒに当接していることで、制動作用が発生しているので、始めは支点として回動して、レール部材４を内部に移動させロッド３も内部に収納する。接天接��部材８・９は、天井部Ｔと床面Ｒから離れると、制動作用が無くなり、支点がピン２１に移って、回動を速めパネル１内に収まる。【００２４】  パネル１の端面は、多角形孔１３が備えてあり、ロッド３の外周面と同じ多角形孔１３の形状でロッド摺動面１５にしている。多角形孔１３は、図６（ａ）に示すような６角形でも４角・５角でも角部を備えていればよく、材質を角部が可撓する緩衝材のゴム・樹脂・スポンジ等にして、無理に力を加えて変形させるとき付勢力を発生させるもので、ロッド３の外周面が前記付勢力に打勝って、スパナ等の工具により回動させて調整することができ、ロッド規制部材６が可撓して規制することで回転不能になり、スムーズな接天接床部材８・９の動作をさせる。【００２５】  図６（ｂ）では、ロッド３の外周角を４角形状にして、外周面の一部の平面にロッド摺動面１５を備え、ロッド３を出入りの摺動を容易にしているが、回転させるには規制するように、ばねで付勢力を与える規制板１４にしてもよい。
また、ロッド摺動面１５に複数個の円状の凹部か孔を備え、ピンを差込み係合させる別実施形態でもよい。
【図面の簡単な説明】
【００２６】
【図１】開口部に吊下げた複数枚のパネルを示す正面図。
【図２】パネルを移動するときの内部構造を示す断面図。
【図３】パネルを閉鎖するときの内部構造を示す断面図。
【図４】接天接床部材の収納状態の動作説明図。
【図５】接天接床部材の収納状態の動作説明図。
【図６】（ａ）ロッドの断面図とロッドの外周面を緩衝材で規制する孔形状の正面図。（ｂ）ロッドの断面図とロッドの外周をばねで規制する正面図。
【符号の説明】
【００２７】１    パネル  １ａ、１ｂ，１ｃ
２    ランナ
３    ロッド
４    レール部材
５    案内レール
６    ロッド規制部材
７    アーム
８    接天部材
９    接床部材
１０  吊下げレール
１１  透孔
１２  円孔
１３  多角形孔
１４  規制板
１５  ロッド摺動面
１６  ネジ部
１７  フレーム
１８  壁面
１９  軸
【図１】
0003133557.tif 000003
【図２】
0003133557.tif 000004
【図３】
0003133557.tif 000005
【図４】
0003133557.tif 000006
【図５】
0003133557.tif 000007
【図６】
0003133557.tif 000008
【手続補正書】
【提出日】平成19年4月3日(2007.4.3)
【手続補正１】
【補正対象書類名】実用新案登録請求の範囲
【補正対象項目名】全文
【補正方法】変更
【補正の内容】
【実用新案登録請求の範囲】
【請求項１】
開口部に複数枚のパネルを開閉可能に吊下げ、後方のパネル端面から突出したロッドを隣接する前方のパネルの端面に圧接して、後方のパネルの上下端から延出する接天接床部材により該パネルを制動又は遮蔽作用する閉鎖装置において、
前記接天接床部材は、上下に分割されて、ロッドの圧接力で移動するレール部材を備え、該レール部材に設けられた案内溝に誘導されて天井部と床面に当接して閉鎖状態にし、
前記パネルを閉鎖状態から開放状態に動作するとき、前記接天接床部材と前記パネルとが相対移動してロッドを該パネル端面から突出させ開放状態にする構成であり、
前記ロッドは、前記レール部材に螺合されて回動することで突出量を調整可能にし、外周面に摺動可能な係合部を備え、該係合部に付勢力を付加して回動を規制することを特徴とするパネルのロッド調整構造。
【請求項２】
前記ロッドを回動する規制は、該ロッドの外周面を緩衝材で付勢することを特徴とする請求項１記載のパネルのロッド調整構造。
【請求項３】
前記緩衝材は、多角形の透孔にして、前記透孔に通過させて前記ロッド外周面も同多角形に形成することを特徴とする請求項２記載のバネルのロッド調整構造。
【手続補正２】
【補正対象書類名】明細書
【補正対象項目名】０００６
【補正方法】変更
【補正の内容】
【０００６】  請求項１の考案では、開口部に複数枚のパネルを開閉可能に吊下げて、後方のパネル端面に突出させたロッドが前方のパネルの端面に圧接して、パネルの上下端から延出する接天接床部材によりパネルを制動させたり、遮音作用をさせたりする閉鎖装置である。接天接床部材は、上下に分割されて、ロッドの圧接力で移動するレール部材を備え、レール部材には案内溝が設けてあり、案内溝に誘導されるアームが回動し接天接床部材を延出させ、天井部と床面に当接して閉鎖状態の壁面を形成する。
【手続補正３】
【補正対象書類名】明細書
【補正対象項目名】０００７
【補正方法】変更
【補正の内容】
【０００７】  パネルを閉鎖状態から開放状態に動作するときは、接天接床部材とパネルとが相対移動してロッドを突出させ開放状態にする構成である。ロッドは、摺動可能にして、レール部材に螺合され、ロッドを回転させて螺進することで突出量を調整可能にし、ロッドの外周面に係合部を備え、その係合部に付勢力を付加して回動を規制する構成とする。